(57)【要約】【課題】  電線作業において宙乗りのように高度に熟練した技能を必要とせず、作業の安全性を高め、短い作業時間で作業することができ、しかも、構造が簡単で、電線を伝って作業員が移動する軽便な手段および作業中の軽便な足場を提供する。【解決手段】  電線に着脱自在に装着可能な装着部が少なくとも一端に設けられた複数の縦部材と、該縦部材と交差して該縦部材同士を連係する横部材とを有する網状体からなる電線作業補助具。前記縦部材および前記横部材は、それぞれ索状体、鎖状体、帯状体、管状体もしくは棒状体、またはこれらの組み合わせからなる。装着部は、前記縦部材に一体的に形成され、または連結される装着具である。【選択図】  図1
2007306723.tif 000002
【特許請求の範囲】
【請求項１】
電線に着脱自在に装着可能な装着部が少なくとも一端に設けられた複数の縦部材と、該縦部材と交差して該縦部材同士を連係する横部材とを有する網状体からなることを特徴とする電線作業補助具。
【請求項２】
前記縦部材および前記横部材は、それぞれ索状体、鎖状体、帯状体、棒状体もしくは管状体、またはこれらの組み合わせからなる請求項１に記載の電線作業補助具。
【請求項３】
前記縦部材および前記横部材は、それぞれ軽量な軟質材料からなる請求項１または２に記載の電線作業補助具。
【請求項４】
前記装着部は、前記縦部材と一体的に形成され、または前記縦部材の少なくとも一端に連結されるものである請求項１〜３のいずれか１項に記載の電線作業補助具。
【請求項５】
前記縦部材に連結される装着部は、内周面の電線と接触する部分に軟質材料を備えたフックまたはカラビナである請求項１〜４のいずれか１項に記載の電線作業補助具。
【発明の詳細な説明】
【技術分野】
【０００１】
本発明は、電線作業補助具に関し、より詳細には、例えば架空電線路を支持する鉄塔などの支持物の近傍において当該電線に対して緊線作業などの電線作業を行う場合に、作業者が当該電線を伝って移動する手段として、また足場として使用できる電線作業補助具に関する。
【背景技術】
【０００２】
架空電線路では、作業者が作業のために電線上を移動しなければならない場合がある。
例えば、架空電線路の保守点検作業などでは、作業者が支持物から電線を伝って隣接する支持物との径間の中間もしくは隣接する鉄塔まで移動することになる。このように作業者が電線上を比較的長距離移動する場合には、電線に自走式の宙乗り機を取り付け、作業者がこれに乗って電線に沿って移動することが従来より行われている。図４は、このような宙乗り機の一例を示している。この宙乗り機５０は、電線１００に係合されるローラを備えた走行装置５１、５１と、該走行装置に連結されたフレーム５２を介して吊り下げられた作業用椅子５３から構成される。この作業用椅子５３の側方下側には、操作盤５４が設けられており、この操作盤５４前面のスイッチなどを操作することで、前記各走行装置５１のローラは、当該装置が備える不図示のモーターによって駆動され、宙乗り機５０は電線１００に沿って移動可能とされている。また、この例以外にも宙乗り機については幾つか提案がなされている（例えば、特許文献１参照）。
【０００３】
一方、電線張替作業や損傷した電線の補修、または断線事故時に割線挿入による復旧作業などを行う場合には、カムアロングを用いた緊線作業を行うために作業者は送電鉄塔近傍の電線上を移動しなければならない。この場合、前記のような宙乗り機を設置すると時間的なロスが大きく、作業効率が悪いことから、作業者が命綱を携えて電線に宙乗りして移動することが行われている。
【０００４】
その一例として電線張替え時の緊線作業の状況を図５に示している。この図において向かって右側の鉄塔Ｔの腕金ＴＡに架線梯子６０が固定され、カムアロング６１およびワイヤーロープ６３が巻かれた金車６２を携帯した作業者Ｍ1がこの梯子６０上を引留クランプ１０４の先まで乗り出し、鉄塔Ｔから離隔する方向に電線１００上に宙乗りした状態で移動する。電線１００の所定の位置まで移動したところで、カムアロング６１の一端を電線１００に固定するとともに、その他端に金車６２を連結する。一方、腕金ＴＡでは、作業者Ｍ２、Ｍ３が碍子連１０５先端の引留クランプ１０４に別の金車６４を固定し、これにワイヤーロープ６２を巻回して腕金ＴＡの方向に引っ張る。これにより、電線１００を適正な弛度（たるみ）が確保できる状態まで引き寄せて引留クランプ１０４に固定する。最後に、ワイヤーロープ６３を緩めて引き寄せていた電線１００に張力がかかるまで戻し、作業者M1がカムアロング６１および金車６２を取り外して一連の緊線作業は終了する。
【０００５】
このように緊線作業などにおける電線への宙乗りは、作業者に不安定な姿勢を強いる作業であり、高度に熟練した技能が必要とされ、熟練した作業者でも相当な肉体的な疲労が生じる。また、緊急作業などは、通常、電線路の通電を断って行なわれるので、極力短時間で行なわれなければならないという制約がある。
【特許文献１】特開平９−２５２５１４号公報
【発明の開示】
【発明が解決しようとする課題】
【０００６】
しかし、近時、宙乗りに関して高度に熟練した技能を有する作業者は少なくなっており、また熟練者を養成するためには、相当な訓練や作業経験を重ねる必要があり、熟練度の低い作業者がこのような高所における電線上の宙乗り作業に従事した場合には、不安全となりやすく、作業の所要時間も長くなるといった問題があった。
【０００７】
本発明は、上記課題を解決すべく、カムアロングの取り付けや取り外しといった電線作業において宙乗りのように高度に熟練した技能を必要とせず、作業の安全性を高め、短い作業時間で作業することができ、しかも、構造が簡単で、電線を伝って作業員が移動する軽便な手段および作業中の軽便な足場を提供することを目的とする。
【課題を解決するための手段】
【０００８】
上記目的は、本発明によれば、電線に係脱自在に装着可能な装着部が少なくとも一端に設けられた複数の縦部材と、該縦部材と交差して該縦部材同士を連係する横部材とを有する網状体からなることを特徴とする電線作業補助具によって達成される。
【発明の効果】
【０００９】
本発明の電線作業補助具によれば、装着部を着脱自在に電線に装着して網状体を電線から垂下させることで、作業者はこの網状体を伝って容易に移動し、作業中の足場とすることができるので、作業者はこの簡単な構造の補助具を用いることにより宙乗りのような危険な作業を行う必要がなく、その結果高度に熟練した技能を必要とせず、作業の安全性を高めるとともに、作業所要時間を短縮することができる。
【発明を実施するための最良の形態】
【００１０】
前記の縦部材および横部材としては、それぞれ複数名の作業者の体重および該作業者が携帯する工具類、器具類の重量を合計した荷重に耐え得る強度を有していれば、その形状や材質は特に制限されない。形状の具体例としては、索状体、鎖状体、帯状体、棒状体または管状体などが挙げられる。
【００１１】
索状体としては、例えば天然繊維製または合成繊維製のロープなどが好適に使用できる。天然繊維製のロープの代表例としてはマニラ麻、サイザル麻または木綿からなるロープなどが挙げられる。合成繊維製ロープの代表例としては、ナイロン（商品名）製、ビニロン（商品名）製、ポリエステル製、ポリエチレン製、ポリプロピレン製のロープなどのほか、これらの混撚ロープなどが挙げられる。また、このようなロープ以外にも、細径のワイヤーロープなども使用できる。
【００１２】
鎖状体としては、例えばローラーチェーン、リンクチェーンなどの産業用チェーンのうちピッチの小さい小型のものを挙げることができる。また、帯状体としては、荷締めベルト、ラッシングベルトまたはスリングベルトなどの荷締め用や産業用のベルトが挙げられ、これらの両端は環状に形成されるか、または環状の金具が取り付けられたものが好適に使用できる。
【００１３】
棒状体としては、細径の鉄棒、アルミニウム棒のほか、カーボン製の棒や合成樹脂製の棒を使用できる。その断面形状については、円形、楕円形、矩形、長方形など適宜選択できる。管状体としては特に限定されず、可とう性のある各種ホースなどのほか、アルミニウム管などの軽量の金属管または合成樹脂製の管などを使用できる。なお、前記の合成樹脂製の管や棒は、硬質であると可とう性や柔軟性を備えた軟質であるとを問わない。
【００１４】
縦部材および横部材のそれぞれには、前記の索状体、鎖状体、帯状体、棒状体および管状体を単独で用いることができ、これらのうちの２種以上を長さ方向に連結して用いることもできる。
【００１５】
縦部材および横部材は、例えばともに索状体などの同種の部材を用いてもよく、一方の部材を索状体とし、他方を帯状体とするなど異種の部材を用いてもよい。また、複数の縦部材は、それぞれ異種の部材を用いることもでき、横部材も複数の場合には、同様に異種の部材を用いることができる。縦部材および横部材はともに、本発明の電線作業補助具の携帯性を考慮すると、軽量であることが好ましく、使用や収納のしやすさなどを考慮すると、柔軟性を備えた軟質材料であることが好ましい。
【００１６】
特に、前記管状体は、これを単独で使用してもよく、前記の索状体や帯状体などと組み合わせて使用してもよい。組み合わせ態様の具体例としては、管状体の長手方向の貫通孔に前記の索状体、細幅の帯状体または棒状体を挿通させたものなどが挙げられる。このように管状体を組み合わせて横部材に使用することで、索状体などを横部材に作業者が足を載せた場合にこれが柔軟であるために下側にＶ字状に変形して足が両側から圧迫され網状体を伝って移動しにくくなるのを防止できる。また、この横部材には、例えば硬質の棒状体を添装してもよい。
【００１７】
前記のような形状および材質を備えた横部材と縦部材とを、これらの交差する箇所において固着することによって網状体は形成される。固着には、それぞれに使用される部材の種類によって公知の方法を採用できる。例えば、接着や縫着などによることができ、適当な固定具などを用いることもできる。横部材と縦部材とがそれぞれロープなどの索状体の場合、これらを結び合わせてもよく、また両部材が合成繊維製のベルトやロープなどの場合には、熱融着などによってもよい。
【００１８】
また、横部材および縦部材は、一方が他方に沿って摺動可能に固定されていてもよい。この場合、一方の部材の中間に他方の部材と交差させる数だけ環状部分を設けておき、当該他方の部材をこれに挿通させることができる。このようにして網状体を形成した状態で、両者はともに略直線状となり、相互に交差するようにするのが好ましい。
【００１９】
このように構成される網状体の全体形状は適宜設定でき、正方形や長方形のほか、両端の縦部材が相互に平行で、一方の端辺から他方に向けて長さを順次長くした略台形形状などとすることもできる。
【００２０】
網状体の横部材の長さは、これをまっすぐに伸ばした状態で、通常、碍子連に連結された引留クランプ取り付け位置から例えば電線へのカムアロングの取り付け位置までの距離程度とされる。具体的には、１０ｍ程度以下、好ましくは４〜５メートル程度とされる。
【００２１】
網状体の縦部材（鉛直方向）の装着部を含めた長さは、網状体の全体形状が長方形である場合、それぞれ０．７〜２ｍ程度とされ、好ましくは１〜１．５ｍ程度の任意の長さに設定できる。この範囲未満では、作業者が電線作業補助具の横部材に足を載せた場合に電線を軸として電線作業補助具が作業者から逃げるように回転するため、好ましくない。また、この範囲を超えて縦部材の長さを長くしても、作業者が上がり下がりするための横部材の数を増やさなければならず、その分重量増加につながるため好ましくない。網状体の全体形状が略台形形状である場合には、当該台形の底辺に相当する最長の縦部材の長さは、前記と同様とすることができる。
【００２２】
この網状体のうち縦部材が柔軟性のある索状体などの場合、状況に応じてその鉛直方向の長さを調整することができる。例えば、一端に電線に装着される装着部を備えた縦部材の他端または中間にフックやカラビナなどを連結固定しておき、前記縦部材を中間から折り曲げて前記フックなどを該縦部材の中間に固着された横部材に係止することで、縦部材の長さの調整が可能となる。
【００２３】
また、相互に隣接する縦部材同士の間隔は、作業者が容易に足を横部材に載置できる程度の長さであればよく、適宜設定できるが、通常、１０〜９０ｃｍ程度とされるのが好ましく、１５〜７０ｃｍ程度とするのがより好ましい。
【００２４】
前記縦部材の少なくとも一端に設けられる装着部は、電線に係脱自在に装着が可能なものとされる。この装着部としては、これを介して本発明の電線作業補助具を電線に吊り下げ、１名または複数名の作業者がこの電線作業補助具に乗り移った場合でも、当該１名または複数名の作業者の体重に耐え破損しないものであれば特に制限されず、縦部材に一体的に形成されるか、または縦部材の一端に連結される別体の装着具とすることができる。
【００２５】
前者の装着部が縦部材に一体的に形成される場合としては、例えば、一端寄りにバックルなどの固定具を取り付けた索状体、鎖状体または状体などによって電線を一巻きし、その端部を前記固定具で固定する場合などが挙げられる。
【００２６】
装着部に連結される別体の装着具には、例えば各種のフックやカラビナなどを使用できる。ここで、フックの具体例としては、スリングフック、スナップフック、ロープつかみかぎ（ロープグリップフック）、取りはずしかぎ（ディスエンゲージングフック）、引きはずしかぎ（トリップフック）、すべりかぎ（スリップフック）および姉妹かぎ（シスタフック）などが挙げられる。
【００２７】
フックやカラビナなどは、通常、金属製であり、これをそのまま電線に装着すると、電線表面を損傷する危険性がある。そのため、これらの内周面の電線が接触する部分は少なくとも軟質材料で被覆することが好ましい。軟質材料として、例えば厚手の布のほか、発泡ゴムシートおよび合成樹脂発泡シートなどが好適に使用できる。また、天然繊維製または合成繊維製の紐もしくはロープまたは細幅の帯などをフックおよびカラビナの周面に巻き付けたものであってもよい。
【００２８】
また、装着具として、前記のフックなどとロープ、安全帯またはスリングベルトなどとを組み合わせて使用することもできる。この場合、ロープおよびスリングベルトはその全体が予め環状に形成され、もしくは形成可能であるか、またはその両端が環状に形成されているものが好ましい。このロープなどを電線の上からその長軸に直角な方向両側から垂らし、ロープなどの垂れ下がり長さを略同等とし、垂れ下がった２つの環状の部分にフックなどを係合させることができる。途中にバックルなどを備えた安全帯などの場合、前記と同様にこれを電線から垂らし、バックルなどによって環状に形成し、この環にフックなどを係合させることができる。
【００２９】
以下、添付図面を参照して本発明の電線作業補助具についてより詳細に説明する。なお、本発明は、以下の実施形態に限定されるものではない。
【００３０】
図１は、本発明の電線作業補助具の実施形態の一例を示す斜視図であり、図２はこの実施形態の使用状態を示した斜視図である。これらの図において、電線１００は、隣接する鉄塔の腕金に碍子連を介して向き合うように固定された２つの引留クランプによって所定のたるみとなるように張設されている。この電線１００に複数の装着部２、２、・・・が着脱自在に装着されており、各装着部２、２、・・・にはそれぞれ縦部材３、３、・・・と、該縦部材３、３、・・・のそれぞれに交差するように横部材４、５、６が所定の間隔離して固着された網状体８が連結されている。縦部材３および横部材４、５、６は、それぞれ合成繊維製のロープであり、これら両部材は、図示していないが、相互に結び合わせられているものとする。最下段の横部材６における縦部材３、３、・・・との交差によって得られる区画のそれぞれには、構成樹脂製の管状体６１、６１、・・・が緩装されている。
【００３１】
本実施形態では、管状体７が緩装されているので、それぞれの縦部材３を軸にして横部材４、５、６同士を重ねるように時計方向、反時計方向に交互に折り畳んだ状態で携行または保管することができる。使用に際しては、この電線作業補助具は鉄塔Ｔ上部の腕金ＴＡ（図５参照）に作業者によって、または金車などによって荷揚げされる。
【００３２】
次に、図１および図２に示す電線作業補助具１の使用方法について説明する。以下の説明では、電線および当該電線の支持物、ならびにカムアロングや金車などの緊線作業用器具については図５と同様であるので、図５と同一の符号を用いることにする。
【００３３】
鉄塔腕金ＴＡに固定された架線用梯子６０に作業者が立ち、碍子連１０５先端の引留クランプ１０４から隣接する鉄塔に向かって延びる電線１００に本発明の電線作業補助具１の装着部２をすべて装着し、電線１００から電線作業補助具１を垂下させる。その際、電線作業補助具１の鉄塔側の縦部材３または横部材４と引留クランプ１０４とは、例えば両端にフックがそれぞれ固定された短いロープ（不図示）などによって連結しておくのがよい。
【００３４】
この電線作業補助具１の網状体８を電線１００に沿って径間中央に向って広げるには、種々の方法によることができる。例えば、本発明の電線作業補助具１を単に揺する方法がある。電線１００は径間中央において所定のたるみを設けるように敷設されており引留クランプ１０４から斜め下方に走るのが通常であるので、電線作業補助具１を揺することで、径間中央側の縦部材３、３、・・は順次径間中央に向って送り出され、縦部材３相互間の間隔を広げることができる。その後、作業者Ｍは電線作業補助具１の横部材６に足を乗せてこれに乗り移り、順次電線作業補助具１を伝って径間中央に向って所定の位置まで移動できる。また、作業者Ｍがこの電線作業補助具１の引留クランプ１０４側の横部材６に足を掛けて乗り移り、径間中央側の縦部材３、３、・・を順次送り出して網状体８を広げる方法であってもよい。作業者Ｍは、手前側の縦部材３を径間中央に向って送り出しながら、その方向に移動することができる。
【００３５】
緊線作業を行う場合、本発明の電線作業補助具１を伝って作業者Ｍが所定の位置に移動した上で、電線１００にカムアロング６１の一端を固定し、さらに該カムアロング６１の他端に金車６２を固定する。その後の作業は、前記の背景技術に記載の通りである。緊線作業終了後には、作業者は金車６２およびカムアロング６１の取り外しを行う。
【００３６】
墜落の危険性をなくすために、作業者は公知の安全帯を身に着け、該安全帯の命綱４０は図２に示すように電線１００に取り付けられるが、この場合電線１００に沿って作業者Ｍが移動する都度、命綱４０を架け替えなければならない。そのため、別途命綱を掛けるための親綱（不図示）を電線１００に沿って張設しておき、命綱の架け替えをなくすことができる。この親綱は、例えば両端にフックやカラビナなどを備えたものがよく、このフックなどを本発明の電線作業補助具１の両端の装着部にそれぞれ係合させておくことができる。また、一方のフックなどを鉄塔腕金の部材に、他方を電線作業補助具１の腕金とは反対側の装着部などに係合しておくこともできる。
【００３７】
電線に張設された電線作業補助具は、各縦部材の上端に装着された装着部を電線から脱着することにより、使用前の状態に折り畳むことができる。縦部材の上端に装着された装着部を電線から取り外すには、網状体を折りたたみながら引き寄せておいてまとめて装着部を電線から取り外すのが便利である。
【００３８】
図３は、図１および図２の実施形態の変形例を示す正面図である。この実施形態では、網状体８の一端から他端に向かって縦部材３の長さが順に長くなっており、全体としてこの網状体は、両端の縦部材を上下辺とする略台形形状を呈している。これ以外の材質も含めた構成については、図１および図２に示す実施形態と本質的に変わるところはない。また、使用方法についても図１および図２の実施形態と同様である。
【００３９】
以上説明したように、本発明の電線作業補助具は、作業者は電線上を宙乗りして移動することがなく、そのため作業者に高度に熟練した技能が必要とされず、作業所要時間も短くでき、構造が簡単な移動手段および足場として使用でき、縦部材もしくは横部材、またはこれら双方に柔軟な材料を用いることで自在に折りたたむことが可能となり、その結果携帯性に優れた補助具とすることができる。
【産業上の利用可能性】
【００４０】
本発明の電線作業補助具は、鉄塔腕金から約１０ｍ程度の間の電線作業において、電線を伝って作業員が移動する軽便な手段および作業中の軽便な足場として使用するのに適している。
【図面の簡単な説明】
【００４１】
【図１】本発明の電線作業補助具の実施形態の一例を示す斜視図である。
【図２】図１に示す電線作業補助具の使用状態を示した斜視図である。
【図３】図１に示す電線作業補助具の変形例を示す正面図である。
【図４】従来公知の宙乗り機の一例を示す図である。
【図５】電線張替え時の緊線作業の状況を示した図である。
【符号の説明】
【００４２】
１    電線作業補助具
２    装着部
３    縦部材
４、５、６、１０    横部材
７、１２、１３    管状体
６０  架線梯子
６１  カムアロング
６２、６４    金車
６３  ワイヤーロープ
１００    電線
１０４    引留クランプ
１０５    碍子連
Ｍ、Ｍ１、Ｍ２、Ｍ３    作業者
Ｔ    鉄塔
ＴＡ    鉄塔腕金
【図１】
2007306723.tif 000003
【図２】
2007306723.tif 000004
【図３】
2007306723.tif 000005
【図４】
2007306723.tif 000006
【図５】
2007306723.tif 000007